(57)【特許請求の範囲】
【請求項１】
熱媒体が貯留される貯留部と、前記熱媒体を加熱する加熱手段と、熱交換器とを備え、熱交換器は貯留部内にあり、該熱交換器には流水回路が接続され、前記貯留部には熱媒体が循環する循環回路が接続され、該循環回路には前記熱媒体を循環させる循環手段が設けられた貯湯式燃焼装置において、前記循環回路は、貯留部から熱媒体を流出させる循環往路と、貯留部内に熱媒体を流入させる循環復路と、前記循環往路と前記循環復路とをバイパスするバイパス流路を有し、前記循環手段は循環往路の中途で前記バイパス流路との接続部よりも下流側に設けられていることを特徴とする貯湯式燃焼装置。
【請求項２】
熱媒体が貯留される貯留部と、前記熱媒体を加熱する加熱手段と、熱交換器とを備え、熱交換器は貯留部内にあり、該熱交換器には流水回路が接続され、前記貯留部には熱媒体が循環する循環回路が接続され、該循環回路には前記熱媒体を循環させる循環手段が設けられた貯湯式燃焼装置において、前記循環回路は、貯留部から熱媒体を流出させる循環往路と、貯留部内に熱媒体を流入させる循環復路と、前記循環往路と前記循環復路とをバイパスするバイパス流路を有し、前記循環手段は循環往路の中途で前記バイパス流路との接続部よりも下流側に設けられており、前記循環往路上であって前記循環手段よりも下流側から前記貯留部に戻るポンプ保護バイパス回路を有することを特徴とする貯湯式燃焼装置。
【請求項３】
ポンプ保護バイパス回路の流路抵抗は、循環往路の流路抵抗よりも高いことを特徴とする請求項２に記載の貯湯式燃焼装置。
【請求項４】
循環回路の中途には、負荷端末が接続されており、該負荷端末は、暖房装置、床暖房装置、ファンコンベクタ、又はパネルヒータのいずれかであることを特徴とする請求項１乃至３のいずれかに記載の貯湯式燃焼装置。
【発明の詳細な説明】
【０００１】
【発明の属する技術分野】
本発明は、貯留部内に熱交換器を備え、さらに貯留部内の熱媒体を循環させる循環回路を具備した貯湯式燃焼装置に関するものである。
【０００２】
【従来の技術】
従来より、暖房装置や給湯装置に採用される燃焼装置として図２に示すような貯湯式燃焼装置が広く採用されている。貯湯式燃焼装置１０１は、大別して水や熱媒油、不凍液などの熱媒体が貯留される貯留部１０２と、燃料を燃焼して貯留部１０２内の熱媒体を加熱する加熱手段１０３により構成されている。
【０００３】
貯留部１０２の内部には、熱交換器１０４が内蔵されており、加熱手段１０３において発生した燃焼ガスが通過するガス通路１０５が設けられている。貯留部１０２内の熱媒体は、ガス通路１０５を通過する際に燃焼ガスと熱交換され加熱される。また、熱交換器１０４内の湯水は、貯留部１０２内の熱媒体との熱交換により加熱される。熱交換器１０４には、カランや浴槽に接続された流水回路１０６（二次側出力）が接続されている。熱交換器１０４において加熱された湯水は、流水回路１０６を通じて外部に放出される。加熱手段１０３は、貯留部１０２内に設けられた温度センサ１０７に基づいて駆動あるいは停止する。
【０００４】
一方、貯留部１０２には、内部の熱媒体が循環する循環回路１０８（一次側出力）が設けられている。循環回路１０８は、貯留部１０２から流出する循環往路１１０と、貯留部１０２に戻る循環復路１１１とを有し、床暖房やファンコンベクタなどの負荷端末（図示せず）に接続されている。循環往路１１２には、循環回路１０８内に熱媒体を循環させるための循環ポンプ１１２が設けられている。また、循環復路１１１には、貯水部１１３が設けられている。
【０００５】
循環ポンプ１１２が駆動すると、循環往路１１０を流れる熱媒体は、前記負荷端末において熱交換を行う。負荷端末において熱交換され低温になった熱媒体は、循環復路１１１を通って貯留部１０２内に戻される。
【０００６】
また、上記した貯湯式燃焼装置１０１の他に、図３に示すような貯湯式燃焼装置１２０も公知である。図３は、貯湯式燃焼装置１２０の要部の模式図を示すものである。貯湯式燃焼装置１２０は、上記した貯湯式燃焼装置１０１と同様に、熱媒体が貯留される貯留部１０２と、燃料を燃焼して貯留部１０２内の熱媒体を加熱する加熱手段１０３により構成されている。貯湯式燃焼装置１２０は、貯留部１０２に接続されている循環回路の構成が貯湯式燃焼装置１０１と異なる。
【０００７】
貯湯式燃焼装置１２０の貯留部１０２には、循環回路１２１が接続されている。循環回路１２１（一次側出力）は、貯留部１０２に直接接続されている循環往路１２２および循環復路１２３と、負荷端末（図示せず）に接続されている負荷往路１２５および負荷復路１２６とが接続されている。さらに詳細には、循環復路１２３と負荷往路１２５は、直接的に接続されており、循環往路１２２と負荷復路１２６は貯水部１１３を介して接続されている。また、循環回路１２１には、循環復路１２３および負荷往路１２５の接続部１２４と、貯水部１１３とをバイパスするバイパス流路１２７を有する。バイパス流路１２７の中途には、貯留部１０２内の熱媒体を循環回路１２１内に循環させるための循環ポンプ１２８が設けられている。
【０００８】
貯留部１０２において加熱され高温となった熱媒体は、循環ポンプ１２８により貯留部１０２の上方に設けられた循環往路１２２から循環回路１２１内へと引き込まれる。一方、負荷端末において熱交換され、低温となった熱媒体は、循環ポンプ１２８により引き込まれ、負荷往路１２６内を貯留部１０２側に向けて流れる。循環往路１２２内を流れる高温の熱媒体と、負荷往路１２６内を流れる低温の熱媒体は、貯水部１１３において混合される。貯水部１１３において混合された熱媒体は、循環復路１２３および負荷往路１２５の接続部１２４に流れ込む。接続部１２４に流れ込んだ熱媒体の一部は、循環復路１２３内に流れ込み、その残部は、負荷往路１２５内に流れ込む。負荷往路１２５を流れる熱媒体は、図示しない負荷端末に流れ込み、熱交換を行った後負荷復路１２６内へと流れ出す。
【０００９】
【発明が解決しようとする課題】
上記した従来の貯湯式燃焼装置１０１において、カランや浴槽に接続された流水回路１０６側の出力を向上させるためには、貯留部１０２内の熱媒体の温度を上昇させる必要がある。しかし、貯留部１０２内の熱媒体が過剰に昇温されると、循環往路１１０を通じ負荷端末に供給される熱媒体の温度が高温となる。そのため、循環往路１１０に接続された床暖房やファンコンベクタなどの負荷端末では高温の熱が発生してしまい、快適さが損なわれてしまう。また、負荷端末に高温の熱媒体が供給されると、負荷端末を構成する部品は、熱履歴による変形などを起こし破損しやすいという問題がある。
【００１０】
上記したような問題を回避すべく、従来の貯湯式燃焼装置１０１においては、貯留部１０２内の熱媒体の温度を過度に高温とすることができない。そのため、従来の貯湯式燃焼装置１０１において、流水回路１０６側の出力を向上させることが困難であり、装置全体としての総合エネルギー効率が低くならざるを得ないという問題がある。
【００１１】
上記した問題を解決するものとして、図３に示すようにバイパス流路１２７を設けた貯湯式燃焼装置１２０がある。貯湯式燃焼装置１２０では、貯留部１０２内で加熱され高温となった熱媒体と、負荷端末で放熱し低温となった熱媒体とが混合され、この熱媒体が負荷端末へと流れ込む。そのため、負荷端末に流れ込む熱媒体は、貯留部１０２内の熱媒体よりも低温である。よって、貯湯式燃焼装置１２０によれば、貯留部１０２内の熱媒体を高温に維持しつつ、負荷端末に暖房に適した温度の熱媒体を供給することができる。
【００１２】
上記した構成においては、循環ポンプ１２８が循環往路１２２および負荷復路１２６内を流れる熱媒体の全てをバイパス流路１２７内に引き込むため、バイパス流路１２７には一度に大量の熱媒体が流れる。そのため、バイパス流路１２７は、負荷復路１２６などに比べて管径を大きくせざるを得ない。バイパス流路１２７を流れる熱媒体を貯留部１０２側へと送り込む循環復路１２３は、循環回路１２１をショートサイクルするものであるため、循環ポンプ１２８の能力に見合った量の熱媒体を負荷端末側へと送り込めないという問題がある。即ち、循環回路１２１における循環ポンプ１２８の揚程が著しく低下してしまうという問題がある。そのため、貯湯式燃焼装置１０２は、貯留部１０２内の熱媒体を高温とすることで流水回路１０６の出力を向上できるものの、負荷端末における出力が十分に得られず、総合エネルギー効率が低くなってしまうという問題がある。
【００１３】
上記した貯湯式燃焼装置１２０において、循環ポンプ１２８を能力の高いものとすれば、負荷端末において十分な出力を得ることができる。しかしこの場合、循環ポンプ１２８が高価となり装置全体のコストが高くなってしまうばかりか、駆動時における消費電力も高くなってしまうという問題がある。
【００１４】
また、上記した貯湯式燃焼装置１２０では、バイパス流路１２７は、負荷端末側の熱動弁が全て閉状態（機具への往き戻りが全て閉止した状態）となった場合の循環ポンプ１２８の保護用回路を兼ねている。即ち負荷端末の駆動が停止している場合であっても、循環ポンプ１２８のモータの焼き付きを防止すべく、循環ポンプ１２８にある程度の流れを確保しなければならない。そのため、貯湯式燃焼装置１２０では、バイパス流路１２７内に常に熱媒体を流している。しかしながら、上記したようにバイパス流路１２７の管径は非常に大きく、大量の熱媒体が流通してしまう。そのため、貯湯式燃焼装置１２０は、例え負荷端末が駆動停止していても、循環ポンプ１２８に大きな電力を印加して熱媒体を流通させねばならず、装置全体のエネルギー効率が低下してしまうという問題がある。
【００１５】
そこで、本発明においては上記した諸問題に鑑み、貯留部内の熱媒体の温度を高温にしつつ、循環回路内を流れる熱媒体の温度を負荷端末の使用に適した温度に維持できる貯湯式給湯装置を提供することを目的とした。
【００１６】
【課題を解決するための手段】
そこで、上記した問題を解決すべく提供される請求項１に記載の発明は、熱媒体が貯留される貯留部と、前記熱媒体を加熱する加熱手段と、熱交換器とを備え、熱交換器は貯留部内にあり、該熱交換器には流水回路が接続され、前記貯留部には熱媒体が循環する循環回路が接続され、該循環回路には前記熱媒体を循環させる循環手段が設けられた貯湯式燃焼装置において、前記循環回路は、貯留部から熱媒体を流出させる循環往路と、貯留部内に熱媒体を流入させる循環復路と、前記循環往路と前記循環復路とをバイパスするバイパス流路を有し、前記循環手段は循環往路の中途で前記バイパス流路との接続部よりも下流側に設けられていることを特徴とする貯湯式燃焼装置である。
【００１７】
かかる構成によれば、貯留部から流出する熱媒体とバイパス流路から循環往路に流れ込む熱媒体の全てを循環復路側へと送り込むことができる。よって、本発明の燃焼装置は、循環手段の揚程がほとんど低下しない。そのため、本発明の貯湯式燃焼装置は、循環回路において十分な出力を得ることができる。
【００１８】
本発明の貯湯式燃焼装置は、循環回路における循環手段の揚程がほとんど低下しない。そのため、循環手段を必要以上に能力が高いものとする必要がない。よって、本発明の燃焼装置は、製造コストが低く、装置の駆動時における消費電力も低い。
【００１９】
本発明の貯湯式燃焼装置は、貯留部内の熱媒体が高温であっても、バイパス流路から流れ込む熱媒体と混合することにより温度調整される。即ち、前記貯湯式燃焼装置は、貯留部内の熱媒体の温度を高温に維持しつつ、循環回路内を流れる熱媒体を適温に調整することができる。
【００２０】
また、本発明の貯湯式燃焼装置は、貯留部内の熱媒体を高温とすることができるため、熱交換器内の湯水を高効率かつ精度よく加熱することができる。よって、本発明の貯湯式燃焼装置では、熱交換器を大型化することなく、湯水を加熱することができる。
【００２１】
請求項２に記載の発明は、熱媒体が貯留される貯留部と、前記熱媒体を加熱する加熱手段と、熱交換器とを備え、熱交換器は貯留部内にあり、該熱交換器には流水回路が接続され、前記貯留部には熱媒体が循環する循環回路が接続され、該循環回路には前記熱媒体を循環させる循環手段が設けられた貯湯式燃焼装置において、前記循環回路は、貯留部から熱媒体を流出させる循環往路と、貯留部内に熱媒体を流入させる循環復路と、前記循環往路と前記循環復路とをバイパスするバイパス流路を有し、前記循環手段は循環往路の中途で前記バイパス流路との接続部よりも下流側に設けられており、前記循環往路上であって前記循環手段よりも下流側から前記貯留部に戻るポンプ保護バイパス回路を有することを特徴とする貯湯式燃焼装置である。
【００２２】
かかる構成によれば、貯留部から流出する熱媒体とバイパス流路から循環往路に流れ込む熱媒体の大部分を循環復路側へと送り込むことができる。よって、本発明の燃焼装置は、循環手段の揚程がほとんど低下せず、循環回路において十分な出力を得ることができる。
【００２３】
また、上記したように、循環手段の揚程がほとんど低下しないため、循環手段は必要以上に能力が高いものである必要がない。よって、本発明の燃焼装置は、製造コストを抑制でき、装置駆動時の消費電力も低いためランニングコストも抑制できる。
【００２４】
循環回路内を流れる熱媒体は、貯留部内で加熱され高温となった熱媒体と、バイパス流路から流れ込む熱媒体とが混合されることにより温度調整される。よって、前記貯湯式燃焼装置は、貯留部内の熱媒体の温度を高温としても、循環回路内を流れる熱媒体を適温に調整することができる。
【００２５】
上記したように、本発明の貯湯式燃焼装置は、貯留部内の熱媒体を高温とすることができるため、熱交換器内の湯水を高効率かつ精度よく加熱することができる。よって、本発明の貯湯式燃焼装置では、熱交換器を大型化することなく、湯水を加熱することができる。
【００２６】
本発明の貯湯式燃焼装置は、ポンプ保護バイパス回路を具備しているため、例えば循環回路に接続された負荷端末が駆動停止するなどして循環往路と循環復路との間の熱媒体の流通が停止した場合であっても、前記ポンプ保護バイパス回路を介して熱媒体を循環させることができる。よって、本発明の貯湯式燃焼装置は、循環往路と循環復路との間の熱媒体の流通が停止しても循環手段が故障することがない。
【００２７】
請求項３に記載の発明は、ポンプ保護バイパス回路の流路抵抗は、循環往路の流路抵抗よりも高いことを特徴とする請求項２に記載の貯湯式燃焼装置である。
【００２８】
かかる構成によれば、通常駆動時において、熱媒体の大部分は循環往路を流れ、ポンプ保護バイパス回路には流れ込まない。そのため、本発明の貯湯式燃焼装置は、循環往路にポンプ保護バイパス回路を設けても循環回路の出力がほとんど低下しない。
【００２９】
また、上記したような構成によれば、例えば循環回路に接続された負荷端末が駆動停止するなどして循環往路と循環復路との間の熱媒体の流通が停止した場合、ポンプ保護バイパス回路にごく僅かな量の熱媒体を循環させればよい。そのため、循環往路と循環復路との間の熱媒体の流通が停止した場合における循環手段の消費電力を最小限に抑制することができる。
【００３０】
請求項４に記載の発明は、循環回路の中途には、負荷端末が接続されており、該負荷端末は、暖房装置、床暖房装置、ファンコンベクタ、又はパネルヒータのいずれかであることを特徴とする請求項１乃至３のいずれかに記載の貯湯式燃焼装置である。
【００３１】
本発明の貯湯式燃焼装置は、貯留部内の熱媒体が例え高温であっても、循環回路中を流れる熱媒体を適温に調整することができる。そのため、本発明の貯湯式燃焼装置は、流水回路側の出力を十分に得つつ、暖房装置、床暖房装置、ファンコンベクタ、パネルヒータなどの負荷端末を快適に使用することができる。
【００３２】
【発明の実施の形態】
以下、本発明の実施形態について図面を参照しながら詳細に説明する。
図１は、本実施形態の貯湯式燃焼装置の作動原理を示す模式図である。図１において１は本実施形態の貯湯式燃焼装置である。
【００３３】
本実施形態の貯湯式燃焼装置１は、図１に示すように本体部２と燃焼部３および消音器４により構成されている。また、本体部２は、大きく燃焼空間部５と貯留部６とに分かれている。燃焼部３と燃焼空間部５とは、貯留部６内に貯留される熱媒体を加熱する加熱手段７として機能する。本体部２は、全体形状が円筒形であり、２重構造となっていて内部に貯留部６が形成されている。より具体的には、本体部２は外筒８と内筒９とを有し、その内部に熱媒体を貯留できる構造を有する。また、特に本体部２の上半分には、上鏡板１０と下鏡板１１とによって囲まれた大容量の熱媒体室１２が形成されている。
【００３４】
熱媒体室１２には、複数の燃焼ガス通路１３が形成されている。燃焼ガス通路１３は、貯留部６の熱媒体室１２を軸方向に貫通する貫通孔である。また、燃焼部３は、灯油等の液体燃料の燃焼を行うバーナを備えており、燃料噴射ノズル１５が内蔵されている。また、燃焼部３は、送風機１６を具備しており、本体部２の下方に位置する燃焼空間部５に接続されている。燃焼空間部５は、燃焼部３の燃焼室として機能する。
【００３５】
一方、本体部２の上部には、消音器４が設けられている。消音器４は、外観が円筒状または直方体状をしており、内部がラビリンス構造となっており、燃焼音を低減させるものである。なお、図１において、消音器４のラビリンス構造は図示せず省略している。
【００３６】
燃焼部３の燃料噴射ノズル１５から噴射された燃料ガスは、燃焼空間部５内において燃焼し、高温の燃焼ガスと火炎とを発生する。燃焼ガスは、熱媒体室１２内の燃焼ガス通路１３を流れ、消音器４を通過した後、外部に排出される。熱媒体室１２内の熱媒体は、燃焼ガス通路１３を流れる高温の燃焼ガスにより加熱され、昇温する。
【００３７】
貯留部６には、熱媒体として不凍液が貯留されている。また、貯留部６の内部には、コイル状の熱交換器１７，１８が内蔵されている。熱交換器１７には、第１流水回路２０が接続されており、熱交換器１８には、第２流水回路２１が接続されている。また、貯留部６には、負荷回路２２が接続されており、内部を貯留部６内で加熱された熱媒体が循環する。
【００３８】
循環回路２２は、貯留部６の熱媒体流出口２３に接続された循環往路２５と、貯留部６の熱媒体流入口２６に接続された循環復路２７とにより構成されている。熱媒体流出口２３は貯留部６の上方側に設けられており、熱媒体流入口２６は貯留部６の下方側に設けられている。循環回路２２の中途には、床暖房やファンコンベクタあるいはパネルヒータなどの暖房端末２８（負荷端末）が接続されている。即ち、貯留部６内の熱媒体は、循環往路２５から暖房端末２８に流れ込み、暖房端末２８において熱交換された後に循環復路２７を通じて貯留部６内に流入する。
【００３９】
循環往路２５と循環復路２７との間には、バイパス流路３０が設けられている。また、循環復路２７とバイパス流路３０との分岐部には、貯水部３１が設けられている。貯水部３１には、貯留部６内の水位を検出する水位センサ３２と圧力リーク弁３３とが設けられている。貯水部３１にはリザーブタンク３５が付属しており、貯留部６内の水位が低下した際に、貯水部３１を介して熱媒体を補給するものである。
【００４０】
一方、循環往路２５の中途で、循環往路２５とバイパス流路３０との接続部３４より下流側には、循環回路２２内を流れる熱媒体を圧送するための循環ポンプ３６（循環手段）が設けられている。循環ポンプ３６は吸い込み側が循環往路２５とバイパス流路３０との接続部３４側に接続され、循環ポンプ３６の吐出側は暖房端末２８側に接続されている。
また、循環回路２２には、循環往路２５の中途で循環ポンプ３６より下流側と、貯留部６とをバイパスするポンプ保護バイパス回路３７が設けられている。ポンプ保護バイパス回路３７は、循環回路２２を構成する他の配管に比べて開口面積が小さく、流路抵抗が高い。
ポンプ保護バイパス回路３７は、暖房端末２８が駆動停止した際に循環ポンプ３７による圧力をリークするためのものである。即ち、ポンプ保護バイパス回路３７は、暖房端末２８が停止中に循環ポンプ３６により圧送される熱媒体を貯留部６に戻す回路であり、循環ポンプ３６のモータの焼き付きを防止する保護手段として機能する。
【００４１】
貯留部６内には、貯留部６内の熱媒体の温度を測定するための温度センサ３８が設けられている。温度センサ３８はサーミスタである。本実施形態において、温度センサ３８は貯留部６内のいかなる場所に設けられてもよいが、貯留部６の上方側に取り付けられることが望ましい。温度センサ３８の検知温度に基づいて燃焼部３が駆動し、貯留部６内の熱媒体は沸騰しない程度の温度に維持されている。さらに具体的には、貯留部６内の熱媒体は、８０℃以上に維持されている。より好ましくは、貯留部６内の熱媒体は、９０℃以上の高温に維持されている。
【００４２】
第１流水回路２０は、カランなどに接続され外部に湯水を流出する、いわゆる給湯回路である。第１流水回路２０は、熱交換器１３に外部から水を給水する給水回路４０と、熱交換器１３において加熱された湯水が流れ出る高温湯回路４１と、給水回路４０から分岐された流水バイパス回路４３とを有し、要求に応じて外部に湯水を供給するものである。そして流水バイパス回路４３を流れる冷水のバイパス水量と高温湯回路４１に流れる高温の湯水の量とをバイパス水量調節弁４５によって調節し、これらの湯水を混合して湯水の温度を調節する。また高温湯回路４１と流水バイパス回路４３との混合部分の下流側には水量調節弁４６と出湯温度センサ４７が設けられており、出湯温度センサ４７によって検知された温度が前記したバイパス水量調節弁４５等にフィードバックされると共に、水量調節弁４６によって総水量が調節される。給水回路４０には、水量センサ４８と、水温センサ５０が設けられ、高温湯の温度が８０℃程度となる様に燃焼部３の発熱量が調節される。
【００４３】
第２流水回路２１は、いわゆる追い焚き回路であり、熱交換器１８側から浴槽（図示せず）へ湯水を送る往き側流路５１と、浴槽から熱交換器１８側に湯水を戻す戻り側回路５２を有する。そして戻り側回路５２には、水位センサ５３と、循環ポンプ５５、水流スイッチ５６及び湯温センサ５７が設けられている。
【００４４】
続いて、本実施形態の貯湯式燃焼装置１の循環回路２５における、熱媒体の流れについて説明する。貯湯式燃焼装置１の貯留部６内に貯留された熱媒体は、燃焼部３において発生した高温の燃焼ガスにより加熱される。加熱され高温となった熱媒体は、循環ポンプ３６によって貯留部６の下方に設けられた熱媒体流出口２３から循環往路２５へと引き込まれる。循環往路２５を流れる熱媒体の大部分は、暖房端末２８に流入する。また、循環往路２５を流れる熱媒体の残部は、循環往路２５に接続されたポンプ保護バイパス３７を通じて貯留部６内に戻される。
【００４５】
循環往路２５から流入した高温の熱媒体は、暖房端末２８において熱交換されて低温となり、循環復路２７へと流出する。循環復路２７を流れる低温の熱媒体は、循環復路２７とバイパス流路３０との分岐点に設けられた貯水部３１へと流れ込む。循環復路２７を流れる低温の熱媒体の一部は、貯水部３１を経て貯留部６内へと戻される。一方、循環復路２７を流れる低温の熱媒体の残部は、循環往路２５に設けられた循環ポンプ３６によりバイパス流路３０側へと引き込まれる。バイパス流路３０を流れる低温の熱媒体は、循環往路２５に流れ込み、熱媒体流出口２３から流出した高温の熱媒体と混合される。
【００４６】
上記したように、本実施形態の貯湯式燃焼装置１において、貯留部６内で高温に加熱された熱媒体は、バイパス流路３０を流れる低温の熱媒体と混合される。そのため、循環往路２５から暖房端末２８に流れ込む熱媒体の温度は、貯留部６内の熱媒体の温度よりも低下している。即ち、貯留部６から流出した高温の熱媒体は、バイパス流路３０内を流れる低温の熱媒体によって薄められる。よって、貯湯式燃焼装置１は、貯留部６内に貯留された熱媒体を高温に維持しつつ、暖房端末２８に供給する熱媒体を適温に調整できる。
【００４７】
上記したように、貯湯式燃焼装置１は、貯留部６内の熱媒体を高温に維持しつつ、暖房端末２８に流れ込む熱媒体の温度を暖房に適した温度に調整することができる。貯留部６内の熱媒体が常に高温であるため、本実施形態の貯湯型燃焼装置１は、熱交換器１７，１８内を流れる湯水を高効率かつ精度よく加熱することができる。そのため、貯湯式燃焼装置１は、熱交換器１７，１８を大型化することなく十分な２次側出力を得ることができる。
【００４８】
また、暖房端末２８に流れ込む熱媒体は、負荷端末２８から流出しバイパス流路３０を流れる低温の熱媒体により暖房に適した温度に調整されているため、負荷端末２８を快適に使用することができる。即ち、本実施形態の貯湯式燃焼装置１は、十分な１次側出力を安定して得ることができる。
【００４９】
循環回路２２は、従来の貯湯式燃焼装置１２０の循環回路１２１における循環復路１２３のように、循環回路３２をショートサイクルする部分がない。そのため、循環ポンプ３６は、貯留部６から流出した熱媒体と、バイパス流路３０から循環往路２５に流入した熱媒体のほとんどを暖房端末２８へと送り込むことができる。即ち、本実施形態の貯湯式燃焼装置１は、循環回路２２における循環ポンプ３６の揚程がほとんど低下しない。そのため、貯湯式燃焼装置１は、暖房端末２８において十分な出力（２次側出力）を得ることができる。
【００５０】
また、貯湯式燃焼装置１において循環ポンプ３６の揚程がほとんど低下しないため、従来の貯湯式燃焼装置１２０のように循環ポンプ３６を必要以上に能力が高いものとする必要がない。そのため、本実施形態の貯湯式燃焼装置１は、製造コストが低く、装置駆動時の消費電力も最低限に抑制することができる。
【００５１】
貯湯式燃焼装置１は、暖房端末２８が駆動を停止している場合であっても、モータの焼き付きを防止すべく循環ポンプ３６を駆動し、熱媒体を循環させる必要がある。しかし、暖房端末２８の停止中に熱媒体が流れるポンプ保護バイパス回路３７は、循環回路２２を構成する他のどの配管よりも開口面積が小さいため、ごく僅かな量の熱媒体を循環させればよい。そのため、暖房端末２８が停止中における循環ポンプ３６の消費電力は最小限で済む。
【００５２】
【発明の効果】
請求項１に記載の発明によれば、貯留部内の熱媒体を高温としつつ、循環回路内を流れる熱媒体を適温に調整し、十分な出力を得ることができる。
【００５３】
請求項２に記載の発明によれば、貯留部内の熱媒体を高温としつつ、循環回路内を流れる熱媒体を適温に調整し、十分な出力を得ることができる。また、循環往路と循環復路との間における熱媒体の流通が停止した場合であっても、ポンプ保護バイパス回路内に熱媒体を循環させることで、循環手段の故障を防止することができる。
【００５４】
請求項３に記載の発明によれば、循環往路にポンプ保護バイパス回路を設けても、通常駆動時における循環回路の出力がほとんど低下しない。また、循環往路と循環復路との間における熱媒体の流通が停止した場合における循環手段の消費電力を最小限に抑制することができる。
【００５５】
請求項４乃至６に記載の発明によれば、流水回路側の出力を十分に得つつ、暖房端末を快適に使用することができる。
【図面の簡単な説明】
【図１】本発明の一実施形態である貯湯式燃焼装置の作動原理を示す模式図である。
【図２】従来の貯湯式燃焼装置の要部を示す模式図である。
【図３】従来の貯湯式燃焼装置の要部を示す模式図である。
【符号の説明】
１  貯湯式燃焼装置
６  貯留部
７  加熱手段
１７，１８  熱交換器
２０  第１流水回路
２１  第２流水回路
２２  循環回路
２５  循環往路
２７  循環復路
２８  暖房端末（負荷端末）
３０  バイパス流路
３４  接続部
３６  循環ポンプ（循環手段）
３７  ポンプ保護バイパス回路
【図１】
0003661648.tif 000002
【図２】
0003661648.tif 000003
【図３】
0003661648.tif 000004